【事件の表示】
　商願２０１７−１４１９５３拒絶査定不服審判事件について、次のとおり審決する。
【結　論】
　原査定を取り消す。
　本願商標は、登録すべきものとする。
【理　由】
１　本願商標
　本願商標は、「リナーシェ」の文字と「Ｒｉｎａｓｃｅ」の文字とを上下二段に表してなり、第３類「シャンプー，その他の石けん類，歯磨き，美容液，化粧水，ヘアーリンス，ヘアーコンディショナー，ヘアートリートメント，入浴剤（医療用のものを除く。），その他の化粧品」を指定商品として、平成２９年１０月２６日に登録出願されたものである。
２　引用商標
　原査定において、本願商標が商標法第４条第１項第１１号に該当するとして、本願の拒絶の理由に引用した登録商標は、以下の（１）ないし（５）のとおりであり、いずれも現に有効に存続しているものである（以下、これらをまとめていうときは、「引用商標」という。）。
（１）登録第５７４３６３３号（以下「引用商標１」という。）は、「ナノ水素リナーシェ」の文字を標準文字で表してなり、平成２６年１０月２７日に登録出願、第３類「化粧品」を指定商品として、同２７年２月２０日に設定登録されたものである。
（２）登録第５７４３６３４号（以下「引用商標２」という。）は、「ナノ　Ｈ２　リナーシェ」（その構成中、「２」の文字は小さく表されている。以下同じ。）の文字を横書きしてなり、平成２６年１０月２７日に登録出願、第３類「化粧品」を指定商品として、同２７年２月２０日に設定登録されたものである。
（３）登録第５９６７７２６号（以下「引用商標３」という。）は、「リナーシェ　ハイドロ」の文字を標準文字で表してなり、平成２９年１月１９日に登録出願、第３類「シャンプー，その他の石けん類，歯磨き，美容液，化粧水，ヘアーリンス，ヘアーコンディショナー，ヘアートリートメント，入浴剤（医療用のものを除く。），その他の化粧品」を指定商品として、同年７月２８日に設定登録されたものである。
（４）登録第５９６７７２７号（以下「引用商標４」という。）は、「リナーシェ　ハイドロリッチ」の文字を標準文字で表してなり、平成２９年１月１９日に登録出願、第３類「シャンプー，その他の石けん類，歯磨き，美容液，化粧水，ヘアーリンス，ヘアーコンディショナー，ヘアートリートメント，入浴剤（医療用のものを除く。），その他の化粧品」を指定商品として、同年７月２８日に設定登録されたものである。
（５）登録第５９６７７２８号（以下「引用商標５」という。）は、「リナーシェ　ハイドロヘアーエッセンス」の文字を標準文字で表してなり、平成２９年１月１９日に登録出願、第３類「シャンプー，その他の石けん類，歯磨き，美容液，化粧水，ヘアーリンス，ヘアーコンディショナー，ヘアートリートメント，入浴剤（医療用のものを除く。），その他の化粧品」を指定商品として、同年７月２８日に設定登録されたものである。
３　当審の判断
（１）本願商標
　本願商標は、前記１のとおり、「リナーシェ」の文字と「Ｒｉｎａｓｃｅ」の文字とを上下二段に表してなるところ、上段の片仮名は、下段の欧文字の読みを表したものと理解されるものである。
　そして、上記「リナーシェ」及び「Ｒｉｎａｓｃｅ」の文字は、一般的な辞書類に載録されておらず、特定の意味合いを想起させる語として知られているものとも認められないことからすれば、特定の観念を生じない造語として看取、把握されるとみるのが相当である。
　そうすると、本願商標は、その構成全体に相応して、「リナーシェ」の称呼を生じ、特定の観念を生じないものである。
（２）引用商標
　ア　引用商標１は、「ナノ水素リナーシェ」の文字を標準文字で表してなるところ、その構成中の「ナノ」の文字は「１０億分の１を表す単位の接頭語」の意味を、「水素」の文字は「非金属元素の一種。無色・無臭の気体」の意味をそれぞれ有する語である（いずれも「広辞苑第六版」株式会社岩波書店）としても、「リナーシェ」の文字は、一般的な辞書類に載録されておらず、特定の意味合いを想起させる語として知られているものとも認められないものであり、その構成文字全体としては、特定の意味合いを想起させることのない一種の造語として認識されるものというのが相当である。
　そして、引用商標１の構成は、いずれも同じ書体、同じ大きさで等間隔に、まとまりよく一体に表されており、「リナーシェ」の文字部分が取引者、需要者に対し、商品の出所識別標識として、強く支配的な印象を与えるものと認めるに足る事情も見いだせないことから、これに接する取引者、需要者は、構成中の「リナーシェ」の文字部分のみに着目するということはなく、その構成文字全体をもって一体不可分の商標として認識、把握するとみるのが相当である。
　そうすると、引用商標１は、全体の構成文字に相応して、「ナノスイソリナーシェ」の称呼を生じ、特定の観念を生じないものである。
　イ　引用商標２は、「ナノ　Ｈ２　リナーシェ」の文字を横書きしてなるところ、その構成中の「ナノ」の文字は「１０億分の１を表す単位の接頭語」の意味を有する語であり、「Ｈ２」の文字は「水素分子」を表すものであるとしても、「リナーシェ」の文字は、一般的な辞書類に載録されておらず、特定の意味合いを想起させる語として知られているものとも認められないものであり、その構成文字全体としては、特定の意味合いを想起させることのない一種の造語として認識されるものというのが相当である。
　そして、引用商標２の構成は、いずれも同じ書体、同じ大きさで、まとまりよく一体に表されており、「リナーシェ」の文字部分が取引者、需要者に対し、商品の出所識別標識として、強く支配的な印象を与えるものと認めるに足る事情も見いだせないことから、これに接する取引者、需要者は、構成中の「リナーシェ」の文字部分のみに着目するということはなく、その構成文字全体をもって一体不可分の商標として認識、把握するとみるのが相当である。
　そうすると、引用商標２は、全体の構成文字に相応して、「ナノエイチツーリナーシェ」の称呼を生じ、特定の観念を生じないものである。
　ウ　引用商標３は、「リナーシェ　ハイドロ」の文字を標準文字で表してなるところ、その構成中の「リナーシェ」の文字は、一般的な辞書類に載録されておらず、特定の意味合いを想起させる語として知られているものとも認められないものであり、「ハイドロ」の文字は「水の、水素の」の意味で複合語を作るものである（「コンサイスカタカナ語辞典　第４版」株式会社三省堂）としても、その構成文字全体としては、特定の意味合いを想起させることのない一種の造語として認識されるものというのが相当である。
　そして、引用商標３の構成は、いずれも同じ書体、同じ大きさで、まとまりよく一体に表されており、「リナーシェ」の文字部分が取引者、需要者に対し、商品の出所識別標識として、強く支配的な印象を与えるものと認めるに足る事情も見いだせないことから、これに接する取引者、需要者は、構成中の「リナーシェ」の文字部分のみに着目するということはなく、その構成文字全体をもって一体不可分の商標として認識、把握するとみるのが相当である。
　そうすると、引用商標３は、全体の構成文字に相応して、「リナーシェハイドロ」の称呼を生じ、特定の観念を生じないものである。
　エ　引用商標４は、「リナーシェ　ハイドロリッチ」の文字を標準文字で表してなるところ、その構成中の「リナーシェ」の文字は、一般的な辞書類に載録されておらず、特定の意味合いを想起させる語として知られているものとも認められないものであり、「ハイドロ」の文字は「水の、水素の」の意味で複合語を作るものであり、「リッチ」の文字は「ぜいたくなさま、豊かなさま」の意味を有する語である（「コンサイスカタカナ語辞典　第４版」株式会社三省堂）としても、その構成文字全体としては、特定の意味合いを想起させることのない一種の造語として認識されるものというのが相当である。
　そして、引用商標４の構成は、いずれも同じ書体、同じ大きさで、まとまりよく一体に表されており、「リナーシェ」の文字部分が取引者、需要者に対し、商品の出所識別標識として、強く支配的な印象を与えるものと認めるに足る事情も見いだせないことから、これに接する取引者、需要者は、構成中の「リナーシェ」の文字部分のみに着目するということはなく、その構成文字全体をもって一体不可分の商標として認識、把握するとみるのが相当である。
　そうすると、引用商標４は、全体の構成文字に相応して、「リナーシェハイドロリッチ」の称呼を生じ、特定の観念を生じないものである。
　オ　引用商標５は、「リナーシェ　ハイドロヘアーエッセンス」の文字を標準文字で表してなるところ、その構成中の「リナーシェ」の文字は、一般的な辞書類に載録されておらず、特定の意味合いを想起させる語として知られているものとも認められないものであり、「ハイドロ」の文字は「水の、水素の」の意味で複合語を作るものであり、「ヘアー」の文字は「髪の毛、頭髪」の意味を、「エッセンス」は「香料、香油」等の意味をそれぞれ有する語である（いずれも「コンサイスカタカナ語辞典　第４版」株式会社三省堂）としても、その構成文字全体としては、特定の意味合いを想起させることのない一種の造語として認識されるものというのが相当である。
　そして、引用商標５の構成は、いずれも同じ書体、同じ大きさで、まとまりよく一体に表されており、「リナーシェ」の文字部分が取引者、需要者に対し、商品の出所識別標識として、強く支配的な印象を与えるものと認めるに足る事情も見いだせないことから、これに接する取引者、需要者は、構成中の「リナーシェ」の文字部分のみに着目するということはなく、その構成文字全体をもって一体不可分の商標として認識、把握するとみるのが相当である。
　そうすると、引用商標５は、全体の構成文字に相応して、「リナーシェハイドロヘアーエッセンス」の称呼を生じ、特定の観念を生じないものである。
（３）本願商標と引用商標との比較
　本願商標と引用商標の類否について検討するに、本願商標と引用商標とは、上記（１）及び（２）のとおりの構成からなるところ、それぞれの構成文字及び態様において、明らかな差異を有するものであるから、本願商標と引用商標とは、外観上、明確に区別できるものである。
　次に、称呼においては、本願商標から生じる「リナーシェ」の称呼と、引用商標から生ずる各称呼とは、その音構成及び音数において明らかな差異を有するものであるから、称呼上、明瞭に聴別されるものである。
　さらに、観念においては、いずれの商標も特定の観念を生じないものであるから、観念において比較することはできない。
　そうすると、本願商標と引用商標とは、観念において比較できないとしても、外観及び称呼において明らかに異なるものであるから、これらを総合して判断すれば、両者は、互いに相紛れるおそれのない非類似の商標というのが相当である。
（４）まとめ
　以上のとおり、本願商標は、引用商標とは非類似の商標であるから、本願商標が商標法第４条第１項第１１号に該当するとして本願を拒絶した原査定は、取消しを免れない。
　その他、本願について拒絶の理由を発見しない。
　よって、結論のとおり審決する。